(57)【要約】  液体容器が、カップの内部領域への開口部を形成する縁を有するカップを含む。容器はまた、開口部を閉鎖するためにカップの縁に取り付けられるように構成された蓋を含む。
2016512188.tif 000002
【特許請求の範囲】
【請求項１】
カップと蓋を含む液体容器であって、
前記カップは、
縁と、底面と、前記縁から前記底面の方へ延在する側壁とを含み、
前記側壁は、前記底面と協働して前記カップの内部液溜室を形成する円錐台状内側面を含み、
前記縁は、前記側壁の前記円錐台状内側面の最上部分と繋がりかつ前記最上部分から離れるように延在する湾曲した外側境界面を含み、前記縁の前記湾曲した外側境界面は、縦断面において、略円形路に沿って延在する少なくとも１８０°の角度にわたって丸みを帯びた形状を有し、前記縁の前記湾曲した外側境界面は、前記側壁の前記円錐台状内側面に隣接する環状の内側シーリング部分と、前記内側シーリング部分から離れる環状の外側シーリング部分と、前記環状の内側シーリング部分と前記環状の外側シーリング部分との間に置かれた環状の中間シーティング部分とを有し、
前記蓋は、
中心閉鎖部と、前記中心閉鎖部に結合され、かつ前記縁の前記湾曲した外側境界面に取り付けられて、前記カップに形成された前記内部液溜室に開口する口を閉鎖する位置に前記中心閉鎖部を保持するように構成された縁マウントとを含み、
前記縁マウントは、前記側壁の前記円錐台状内側面の前記最上部分に係合して、前記蓋と前記カップとの間に第１の環状の液体流れバリヤを確立するように配置された第１のシールリングと、前記縁の前記湾曲した外側境界面の前記環状の内側シーリング部分に係合して、前記蓋と前記カップとの間に第２の環状の液体流れバリヤを確立するように配置された第２のシールリングと、前記縁の前記湾曲した外側境界面の前記環状の中間シーリング部分に係合して、前記蓋と前記カップとの間に第３の環状の液体流れバリヤを確立するように配置された第３のシールリングと、前記縁の前記湾曲した外側境界面の前記環状の外側シーリング部分に係合して、前記蓋と前記カップとの間に第４の環状の液体流れバリヤを確立するように配置された第４のシールリングとを含む、
液体容器。
【請求項２】
各シールリングにはテーパが付けられて、前記カップの相手方の面と接触結合する傾斜内側面を画定して、前記蓋が前記カップに取り付けられると、前記蓋と前記カップとの間に、前記第１、第２、第３、および第４の環状の液体流れバリヤのうちの１つを確立する、請求項１に記載の液体容器。
【請求項３】
前記縁マウントの選択した横断面プロファイルにおいて、前記第１、第２、および第４のシールリングのそれぞれの前記傾斜内側面が全体的に正の勾配を有し、および前記第３のシールリングの前記傾斜内側面が全体的に負の勾配を有する、請求項２に記載の液体容器。
【請求項４】
前記第２のシールリングの前記勾配が、前記第４のシールリングの前記勾配よりも急であり、および前記第１のシールリングの前記勾配が、前記第２および第４のシールリングのそれぞれの前記勾配よりも急である、請求項３に記載の液体容器。
【請求項５】
前記第１、第２、および第３のシールリングのそれぞれが円錐台形状を有し、および前記第４のシールリングが湾曲形状を有する、請求項４に記載の液体容器。
【請求項６】
前記第４のシールリングが凹形状を有し、および前記第４のシールリングの前記全体的に負の勾配が、前記第４のシールリングの接平面によって確立されている、請求項３に記載の液体容器。
【請求項７】
前記第４のシールリングが、前記第１、第２、および第３のシールリングのそれぞれの方に面するように配置され、前記第１のシールリングが、前記第４のシールリングの方に面しかつ前記第２および第３のシールリングから離れる方に面するように配置され、前記第２のシールリングが、前記第３および第４のシールリングの方に面しかつ前記第１のシールリングから離れる方に面するように配置され、および前記第３のシールリングが、前記第１および第２のシールリングの方に面しかつ前記第４のシールリングから離れる方に面するように配置されている、請求項６に記載の液体容器。
【請求項８】
前記第１、第２、および第３のシールリングのそれぞれが円錐台形状を有し、および前記第４のシールリングが湾曲形状を有して、前記カップの前記縁の前記湾曲した外側表面の前記環状の外側シーリング部分と接触係合する凹面を提供する、請求項２に記載の液体容器。
【請求項９】
前記蓋が弾性プラスチック材料製であり、前記第１、第２、第３および第４のシールリングのそれぞれが、前記蓋の前記縁マウントと前記カップとの接触係合の前駆状態として非撓み形状を有し、および前記第１、第２、第３および第４のシールリングのそれぞれが、前記蓋の前記縁マウントが前記カップと係合して、前記カップ上で取り付け位置を取ると、異なる撓み形状を有し、および前記蓋が前記カップに取り付けられると、前記第１、第２、第３および第４のシールリングのそれぞれの前記非撓み形状と前記撓み形状との間の約０．０１０インチの変化が、前記蓋の前記縁マウントと前記カップの前記縁との間に確立された締まり嵌めを画定する、請求項８に記載の液体容器。
【請求項１０】
前記縁マウントの選択した横断面プロファイルにおいて、前記第１、第２、および第４のシールリングのそれぞれの前記傾斜内側面が全体的に正の勾配を有し、および前記第３のシールリングの前記傾斜内側面が全体的に負の勾配を有する、請求項９に記載の液体容器。
【請求項１１】
前記第４のシールリングが、前記第１、第２、および第３のシールリングのそれぞれの方に面するように配置され、前記第１のシールリングが、前記第４のシールリングの方に面しかつ前記第２および第３のシールリングから離れる方に面するように配置され、前記第２のシールリングが、前記第３および第４のシールリングの方に面しかつ前記第１のシールリングから離れる方に面するように配置され、および前記第３のシールリングが、前記第１および第２のシールリングの方に面しかつ前記第４のシールリングから離れる方に面するように配置されている、請求項１に記載の液体容器。
【請求項１２】
前記第１、第２、および第３のシールリングのそれぞれが円錐台形状を有し、および前記第４のシールリングが湾曲形状を有して、前記カップの前記縁の前記湾曲した外側表面の前記環状の外側シーリング部分と接触係合する凹面を提供する、請求項１に記載の液体容器。
【請求項１３】
前記カップの前記縁が、順番に、前記側壁の前記最上部分に結合された第１の縁セグメントと、前記第１の縁セグメントに結合された第２の縁セグメントと、前記第２の縁セグメントに結合された第３の縁セグメントとを含み、前記第３の縁セグメントは、前記側壁の前記最上部分を取り囲み、かつ前記側壁の前記最上部分の外側表面に対して離間して置かれ、前記第２の縁セグメントは、前記第１の縁セグメントと前記第３の縁セグメントとを相互に接続し、前記湾曲した外側境界面は、順番に、前記第１の縁セグメントの第１の凸状湾曲外側面と、前記第２の縁セグメントの第２の凸状湾曲外側面と、前記第３の縁セグメントの第３の凸状湾曲外側面とによって画定され、前記環状の内側シール面は前記第１の凸状湾曲面に設けられ、前記環状の中間シール面は前記第２の凸状湾曲面に設けられ、および前記環状の外側シール面は前記第３の凸状湾曲面に設けられる、請求項１に記載の液体容器。
【請求項１４】
前記縁は、さらに、前記第３の縁セグメントの自由端部に結合され、かつ前記側壁の前記最上部分の前記外側表面に対して離間して置かれるように配置された環状の遠位端を含むように形成された第４の縁セグメントを含む、請求項１３に記載の液体容器。
【請求項１５】
前記第１、第２、および第３の凸状湾曲外側面が共通の曲率中心を有する、請求項１３に記載の液体容器。
【発明の詳細な説明】
【技術分野】
【０００１】
優先権の主張
本出願は、３５Ｕ．Ｓ．Ｃ．§１１９（ｅ）下において、２０１３年３月１５日出願の
米国仮特許出願第６１／８０１，４３３号明細書の優先権を主張し、これを、参照により
本明細書に明示的に援用する。
【０００２】
本開示は、飲料カップ、特に、飲料カップ用の蓋に関する。より詳細には、本開示は、
飲料カップと、飲料カップに取り付けられた蓋との間に確立されたシールに関する。
【発明の概要】
【課題を解決するための手段】
【０００３】
本開示によれば、液体容器は、カップの縁と接触結合する（ｍａｔｅ）ように適合された蓋を含む。カップはまた、底面と、縁から底面の方へ延在する側壁とを含む。
【０００４】
説明に役立つ実施形態では、蓋は、液体吐出口を含むように形成された中心閉鎖部と、中心閉鎖部を取り囲むように配置されたリング状の縁マウントとを含む。蓋の縁マウントは、カップの縁と接触結合して、中心閉鎖部を静止位置に保持し、カップに形成された内部液溜室に開口するカップの口を閉鎖すると共に、液体吐出口を、カップの内部液溜室に入れられた任意の液体と流体連通させるように構成されている。
【０００５】
説明に役立つ実施形態では、縁マウントは４つのシールリングを含む。それらのうちの３つのシールリングは、カップの縁と接触結合して、カップと蓋との間に３つの環状の液体流れバリヤを確立するように構成されている。縁マウント上の残りのシールリングは、側壁の内側表面の上部と接触結合して、カップと蓋との間に別の液体流れバリヤを確立するように構成されている。４つのシールリングのうちの２つは、内部シールリングとして見ることができる。なぜなら、それらは、側壁およびカップの縁の内側部分と接触結合するためである。４つのシールリングのうちの別の２つは、外部シールリングとして見ることができる。なぜなら、蓋がカップの縁に取り付けられて、カップに形成された内部液溜室への開口部を閉鎖すると、それらは、カップの縁の外側部分と接触結合するためである。
【０００６】
説明に役立つ実施形態では、蓋の２つの内部シールリングが協働して、カップの内部で２つの環状の液体流れバリヤを形成する。蓋の第１のシールリングは、カップの縁と側壁との間の接合部のすぐ下の側壁の内部上の、カップの底面から第１の距離のところに設けられた、半径方向内側に面している第１の環状シール面に係合するように配置されている。蓋の第２のシールリングは、第１のシールリングの上方に位置している。第２のシールリングは、第１のシールリングの上方および縁の最上部分の下方の位置において、縁の内側部分上の、カップの底面から比較的長い第２の距離のところにおいてカップの縁に含まれる第１の縁セグメントに設けられた、比較的高い半径方向内側に面している第２の環状シール面と係合するように配置されている。
【０００７】
説明に役立つ実施形態では、蓋の２つの外部シールリングが協働して、カップの縁の外側部分に２つの環状の液体流れバリヤを形成する。蓋の第３のシールリングが、カップの縁の外側部分に含まれる第２の縁セグメントに設けられた、半径方向外側に面している第３の環状シール面に係合するように配置されている。蓋の第４のシールリングは、カップの縁の外側部分を含む、より低い第３の縁セグメントに設けられた、半径方向外側に面している第４の環状シール面に係合するように配置され、カップの縁の第３の環状シール面の下方に置かれている。
【０００８】
さらなる実施形態では、液体容器は、カップおよび蓋を含む。カップは、縁と、底面と、縁から底面の方へ延在する側壁とを含む。側壁は、底面と協働する円錐台（ｆｒｕｓｔｏｃｏｎｉｃａｌ）内側面を含み、カップの内部液溜室を形成する。縁は、側壁の円錐台状内側面の最上部分と繋がりかつ最上部分から離れるように延在する、湾曲した外側境界面を含む。縁の湾曲した外側境界面は、縦断面において、略円形路に沿って延在する、丸みを帯びた形状を有し、少なくとも１８０°の角度をなす。縁の湾曲した外側境界面は、側壁の円錐台状内側面に隣接する環状の内側シーリング部分と、内側シーリング部分から離れる環状の外側シーリング部分と、環状の内側シーリング部分と環状の外側シーリング部分との間に置かれた環状の中間シーティング部分とを有する。蓋は、中心閉鎖部と、中心閉鎖部に結合された縁マウントとを含む。縁マウントは、縁の湾曲した外側境界面に取り付けられて、カップに形成された内部液溜室に開口する口を閉鎖する位置に中心閉鎖部を保持するように構成されている。縁マウントは、第１のシールリング、第２のシールリング、第３のシールリング、および第４のシールリングを含む。第１のシールリングは、側壁の円錐台状内側面の最上部分に係合して、蓋とカップとの間に第１の環状の液体流れバリヤを確立するように配置されている。第２のシールリングは、縁の湾曲した外側境界面の環状の内側シーリング部分に係合して、蓋とカップとの間に第２の環状の液体流れバリヤを確立するように配置されている。第３のシールリングは、縁の湾曲した外側境界面の環状の中間シーリング部分に係合して、蓋とカップとの間に第３の環状の液体流れバリヤを確立するように配置されている。第４のシールリングは、縁の湾曲した外側境界面の環状の外側シーリング部分に係合して、蓋とカップとの間に第４の環状の液体流れバリヤを確立するように配置されている。
【０００９】
さらなる実施形態では、各シールリングにはテーパが付けられて、カップの相手方の面と接触結合する傾斜内側面を画定して、蓋がカップに取り付けられると、蓋とカップとの間に、第１、第２、第３、および第４の環状の液体流れバリヤのうちの１つを確立する。
【００１０】
さらなる実施形態では、縁マウントの選択した横断面プロファイルにおいて、第１、第２、および第４のシールリングのそれぞれの傾斜内側面は全体的に正の勾配を有し、および第３のシールリングの傾斜内側面は全体的に負の勾配を有する。
【００１１】
さらなる実施形態では、第２のシールリングの勾配は、第４のシールリングの勾配よりも急であり、および第１のシールリングの勾配は、第２および第４のシールリングのそれぞれの勾配よりも急である。
【００１２】
さらなる実施形態では、第１、第２、および第３のシールリングのそれぞれは円錐台形状を有し、および第４のシールリングは湾曲形状を有する。
【００１３】
さらなる実施形態では、第４のシールリングが凹形状を有し、および第４のシールリングの全体的に負の勾配は、第４のシールリングの接平面によって確立されている。
【００１４】
さらなる実施形態では、第４のシールリングは、第１、第２、および第３のシールリングのそれぞれの方に面するように配置されている。第１のシールリングは、第４のシールリングの方に面しかつ第２および第３のシールリングから離れる方に面するように配置されている。第２のシールリングは、第３および第４のシールリングの方に面しかつ第１のシールリングから離れる方に面するように配置されている。第３のシールリングは、第１および第２のシールリングの方に面しかつ第４のシールリングから離れる方に面するように配置されている。
【００１５】
さらなる実施形態では、第１、第２、および第３のシールリングのそれぞれは、円錐台形状を有する。第４のシールリングは、湾曲形状を有して、カップの縁の湾曲した外側表面の環状の外側シーリング部分と接触係合（ｍａｔｉｎｇ  ｅｎｇａｇｅｍｅｎｔ）する凹面を提供する。
【００１６】
さらなる実施形態では、蓋は、弾性プラスチック材料製である。第１、第２、第３および第４のシールリングのそれぞれは、蓋の縁マウントとカップとの接触係合の前駆状態として非撓み形状を有する。第１、第２、第３および第４のシールリングのそれぞれは、蓋の縁マウントがカップと係合して、カップ上で取り付け位置を取ると、異なる撓み形状を有する。蓋がカップに取り付けられるとき、第１、第２、第３および第４のシールリングのそれぞれの非撓み形状と撓み形状との間の約０．０１０インチの変化は、蓋の縁マウントとカップの縁との間に確立された締まり嵌め（ｉｎｔｅｒｆｅｒｅｎｃｅ  ｆｉｔ）を画定する。
【００１７】
さらなる実施形態では、第１、第２、および第４のシールリングのそれぞれの傾斜内側面は、全体的に正の勾配を有する。縁マウントの選択した横断面プロファイルにおいて、第３のシールリングの傾斜内側面は、全体的に負の勾配を有する。
【００１８】
さらなる実施形態では、第４のシールリングは、第１、第２、および第３のシールリングのそれぞれの方に面するように配置されている。第１のシールリングは、第４のシールリングの方に面しかつ第２および第３のシールリングから離れる方に面するように配置されている。第２のシールリングは、第３および第４のシールリングの方に面しかつ第１のシールリングから離れる方に面するように配置されている。第３のシールリングは、第１および第２のシールリングの方に面しかつ第４のシールリングから離れる方に面するように配置されている。
【００１９】
さらなる実施形態では、第１、第２、および第３のシールリングのそれぞれは円錐台形状を有する。第４のシールリングは湾曲形状を有して、カップの縁の湾曲した外側表面の環状の外側シーリング部分と接触係合する凹面を提供する。
【００２０】
さらなる実施形態では、カップの縁は、順番に、側壁の最上部分に結合された第１の縁セグメントと、第１の縁セグメントに結合された第２の縁セグメントと、第２の縁セグメントに結合された第３の縁セグメントとを含む。第３の縁セグメントは、側壁の最上部分を取り囲み、かつ側壁の最上部分の外側表面に対して離間して置かれる。第２の縁セグメントは、第１の縁セグメントと第３の縁セグメントとを相互に接続する。湾曲した外側境界面は、順番に、第１の縁セグメントの第１の凸状湾曲外側面と、第２の縁セグメントの第２の凸状湾曲外側面と、第３の縁セグメントの第３の凸状湾曲外側面とによって画定される。環状の内側シール面は第１の凸状湾曲面に設けられる。環状の中間シール面は、第２の凸状湾曲面に設けられる。環状の外側シール面は第３の凸状湾曲面に設けられる。
【００２１】
さらなる実施形態では、縁は、さらに、第３の縁セグメントの自由端部に結合され、かつ側壁の最上部分の外側表面に対して離間して置かれるように配置された環状の遠位端を含むように形成された第４の縁セグメントを含む。
【００２２】
さらなる実施形態では、第１、第２、および第３の凸状湾曲外側面は共通の曲率中心を有する。
【００２３】
本開示の追加的な特徴は、現在認識されているように本開示を実施する最良の態様を例示する、説明に役立つ実施形態を考慮することにより、当業者に明らかとなる。
【００２４】
詳細な説明は、特に、添付図面を参照する。
【図面の簡単な説明】
【００２５】
【図１】本開示の第１の実施形態による蓋と、蓋が取り付けられる前のカップとの斜視図であり、および蓋が、縁マウントによって取り囲まれた中心閉鎖部を含むことを示し、縁マウントは、図４により詳細に示す４つのシールリングを含むように形成されており、かつ図５においてカップの縁および縁のすぐ下のカップ側壁の上部内側部分の内側表面と接触係合している。
【図１Ａ】カップ側壁の上部を示しかつカップの縁を示す、図１の線１Ａ−１Ａに沿って取ったカップの拡大デッドセクションである。
【図２】図１の蓋の拡大上面図である。
【図３】蓋の縁マウントの断面形状を示す、図２の線３−３に沿って取った断面図である。
【図４】例えば、図５に示すように、蓋の縁マウントに含まれ、かつカップの縁の内側部分および外側部分ならびにカップ側壁の上部内側部分と接触結合するように適合された第１、第２、第３および第４のシールリングを示す、図３の円形の領域から取った縁マウントの一部分の拡大図である。
【図５】蓋の縁マウントに含まれる４つのシールリングの各々とカップの相手方のリング状部分との間の環状の接触点を示すために、本開示に従って液体容器を形成するように相手方のカップに取り付けられた、図４の縁マウントの断面図である。
【図６Ａ】図３〜５に示す蓋の縁マウントを形成するために使用された工具を示し、かつ内側シールと縁マウントの内側部分のプラグ嵌合の幾何学的形状を形成するキャビティ内側セクション（左側）、および外側シールと縁マウントの外側部分のスナップの幾何学的形状を形成するキャビティ外側セクション（右側）を示す。
【図６Ｂ】蓋成形作業の最中に図６Ａの工具部分の周りに成形された図４の縁マウント部分を示す。
【図６Ｃ】蓋がカップに取り付けられるときの、図１に示される蓋とカップとの間に確立される締まり嵌め状態を示す概略図である。
【図７】蓋がカップに取り付けられる前の、本開示の第２の実施形態による蓋と、カップとの斜視図であり、および蓋が、カップの縁に接触結合するように適合されたリング状の縁マウントと、縁マウントによって取り囲まれた中心閉鎖部とを含むこと、および縁マウントが、図１０により詳細に示す４つのシールリングを含み、かつカップの縁および図１０において縁のすぐ下でカップ側壁の上部内側部分の内側表面と接触係合するように形成されていることを示す。
【図８】図７の蓋の拡大上面図である。
【図９】蓋の縁マウントの断面形状を示す、図８の線９−９に沿って取った拡大断面図である。
【図１０】例えば、図１１に示すように、蓋の縁マウントに含まれ、かつカップの縁の内側部分および外側部分ならびにカップ側壁の上部内側部分と接触結合するように適合された第１、第２、第３および第４のシールリングを示す、図９において円で囲んだ縁マウントの部分の拡大断面図である。
【図１１】蓋の縁マウントに含まれる４つのシールリングの各々とカップの相手方のリング状部分との間の環状の接触点を示すために、本開示による液体容器を形成するように相手方のカップに取り付けられた図１０の縁マウントの断面図である。
【図１２】図９〜１１に示すような蓋の縁マウントを形成するために使用された工具を示し、かつ内側シールと縁マウントの内側部分のプラグ嵌合の幾何学的形状を形成するキャビティ内側セクション（左側）、および外側シールと縁マウントの外側部分のスナップの幾何学的形状を形成するキャビティ外側セクション（右側）を示す。
【図１３】中心閉鎖部の傾斜した上面に形成された液体吐出口を閉鎖する閉鎖位置において、蓋はまた、中心閉鎖部の傾斜した上面上の約１０時の位置に置かれるように位置決めされた出口閉鎖部を含むことを示す、図７および図８の蓋の斜視図である。
【図１４】出口閉鎖部に含まれる鼻形状の押爪を、中心閉鎖部の傾斜した上面に形成された爪収容キャビティまで延在させるように、液体吐出口を開く出口開放位置まで、水平ピボット軸の周りで前方向に枢動された後の出口閉鎖部を示す、図１３と同様の蓋の斜視図である。
【発明を実施するための形態】
【００２６】
本開示による液体容器は、縁２０を有するカップ１２と、締まり嵌めを使用してカップ１２の縁２０と接触結合するように構成される縁マウントを有する蓋とを含んで、蓋とカップ１２との間に一連の４つの環状の液体流れバリヤを確立する。図１〜６Ｃに、縁マウント１８を有する蓋１４を含む容器１０の説明に役立つ第１の実施形態を示す一方、図７〜１４に、縁マウント１１８を有する蓋１１４を含む容器１０の説明に役立つ第２の実施形態を示す。
【００２７】
図１に示すように、本開示の第１の実施形態による液体容器１０は、カップ１２および蓋１４を含む。図１に示すように、蓋１４は、カップ１２の縁２０と接触結合するように適合されている。蓋１４は、図１に示すように、液体吐出口６４を含むように形成された中心閉鎖部１６と、中心閉鎖部１６に結合された縁マウントであって、中心閉鎖部１６を、カップ１２に形成された内部液溜室２５に開口するカップの口２１を閉鎖するように配置するために、カップ１２の縁２０に取り付けられるように構成された縁マウント１８とを含む。説明に役立つ実施形態では、蓋１４は、熱成形プロセス（または他の好適なプロセス）を使用して、例えば、ポリスチレン、ポリプロピレン、またはポリエチレンで作製される。カップ１２はまた、底面２２と、底面２２に繋がり、かつ縁２０、および縁２０から底面２２の方へ延在する側壁２４を含むシェル２３とを含む。
【００２８】
説明に役立つ実施形態においては、蓋１４の中心閉鎖部１６は、縁マウント１８よりも上へと上方に立ち上がり、および図１〜３に示すように、液体吐出口６４を含むように形成された上壁６２を含む飲料注出部６０を含む。説明に役立つ実施形態では、蓋１４がカップ１２の縁２０に取り付けられたままでも、蓋１４に形成された液体吐出口６４によって、消費者は、カップ１２に入れられた液体を飲むことができる。飲料注出部６０は、カップ１２に入れられた液体を飲もうとする消費者の口に受け入れられるように適合されている。飲料注出部６０は、高く隆起した液体吐出口６４を含むように形成され、かつ図２に示すように、縁マウント１８の後部半円部分の内側に位置している。図１に示すように、カップ１２の内部液溜室２５に入れられたいずれの液体も、直立した飲料注出部６０の上壁６２に形成された液体吐出口６４と流体連通する。
【００２９】
図１および図２に示すように、カップ１２は、縁２０、底面２２、および底面２２から縁２０まで上方に延在する側壁２４を含む。側壁２４および底面２２は協働して、カップ１２の内部液溜室２５を形成する。任意の好適なプラスチック、紙、または他の材料からカップ１２を作製することは、本開示の範囲内にある。側壁２４の下縁にあるまたはその近くの好適な個所に底面２２を取り付けることは、本開示の範囲内にある。
【００３０】
図１Ａに、図１の線３−３に沿って取ったカップ１２の上部の説明に役立つ断面形状を示す。カップの側壁２４の上部２４Ｕは、縁２０と繋がりかつそれとまとまって、説明に役立つ実施形態では、側壁２４および縁２０を含むモノリシックな中空カップシェル２３を形成する。説明に役立つ実施形態では、カップ１２の底面２２は、任意の好適な手段を使用して、側壁２４の下部と繋がって、カップ１２を形成する。それゆえ、図１に示すように、カップ１２は、シェル２３と、シェル２３に結合された底面２２とを含んで、内部液溜室２５を形成する。シェル２３は、縁２０および側壁２４を含む。
【００３１】
図１Ａに示すように、カップ縁２０は、順番に、４つの縁セグメント２０Ｉ、２０ＩＩ、２０ＩＩＩ、および２０ＩＶを含むモノリシック要素である。第１の縁セグメント２０Ｉは、シェル２３の側壁２４の上部２４Ｕに結合されている。第３の縁セグメント２０ＩＩＩは、側壁２４の上部２４Ｕを取り囲み、および側壁２４の上部２４Ｕの外側表面２４Ｅ対して離間して置かれている。第２の縁セグメント２０ＩＩは、第１の縁セグメント２０Ｉと第３の縁セグメント２０ＩＩＩとを相互に接続する。第４のセグメント２０ＩＶは、第３のセグメント２０ＩＩＩの自由端部に結合されており、および説明に役立つ実施形態では、側壁２４の上部２４Ｕの外側表面２４Ｅに対して離間して置かれるように配置されている環状の遠位端２０Ｔを含む。
【００３２】
図１Ａには、ｘ軸基準線およびｙ軸基準線を交差させて示し、カップ縁２０および側壁２４の上部２４Ｕの図示の横断面を４つの象限に分割し、これら象限は、ｘ軸基準線とｙ軸基準線とが交差する箇所に位置する起点Ｏの周りに配置されている。第１の縁セグメント２０Ｉは、北西の第一象限（Ｉ）に位置している。第２の縁セグメント２０ＩＩは、北東の第二象限（ＩＩ）に位置している。第３の縁セグメント２０ＩＩＩは、南東の第三象限（ＩＩＩ）に位置している。第４の縁セグメント２０ＩＶおよび側壁２４の上部２４Ｕは、南西の第四象限（ＩＶ）に位置している。
【００３３】
例えば、図１Ａに示すように、縁２０は、順番に、第１の縁セグメント２０Ｉの第１の凸状湾曲外側面２０ＩＥ、第２の縁セグメント２０ＩＩの第２の凸状湾曲外側面２０ＩＩＥ、および第３の縁セグメント２０ＩＩＩの第３の凸状湾曲外側面２０ＩＩＩＥによって画定された、湾曲した外側境界面２０Ｂを有する。縁２０の湾曲した外側境界面２０Ｂは、縦断面において、略円形路に沿って延在する、例えば、図１Ａに示すように、少なくとも１８０°の角θにわたって丸みを帯びた形状を有する。説明に役立つ実施形態では、図１Ａに示すように、第１、第２、および第３の凸状湾曲外側面２０ＩＥ、２０ＩＩＥ、および２０ＩＩＩＥは、共通の曲率中心を有し、かつ協働して、約２７０°の角度θをなす。これらの外側面は協働して、丸形によって特徴づけられた外側境界面を画定する。
【００３４】
例えば、図１および図２に示すように、蓋１４は、液体吐出口６４を含むように形成された中心閉鎖部１６と、中心閉鎖部１６を取り囲むように配置されたリング状の縁マウント１８とを含む。蓋１４の縁マウント１８は、カップ１２の縁２０と接触結合して、中心閉鎖部１６を静止位置に保持し、カップ１２の内部液溜室２５に開口するカップの口２１を閉鎖すると共に、液体吐出口６４を、カップ１２の内部液溜室２５に入れられた任意の液体と流体連通させるように構成されている。
【００３５】
例えば、図４に示すように、蓋１４の縁マウント１８は、４つのシールリング８１、８２、８３、および８４を含む。第１のシールリング８１は、カップ１２の側壁２４と接触結合して、図５に示すようにカップ１２と蓋１４との間に環状の液体流れバリヤを確立するように、配置されている。残りのシールリング８２〜８４のそれぞれは、カップ１２の縁２０と接触結合して、図５に示すようにカップ１２と蓋１４との間に環状の液体流れバリヤを確立するように、構成されている。シールリング８１〜８４のそれぞれは、例えば、図４に示すようなテーパによって画定されている。図４に示す横断面プロファイルで見ると、第１、第２、および第４のシールリング８１、８２、８４は、全体的に正の勾配のテーパによって特徴づけられる一方、第３のシールリング８３は、全体的に負の勾配のテーパによって特徴づけられる。
【００３６】
図１Ａに図式的におよび図５に説明的に示すように、第１のシールリング８１は、側壁２４の上部２４Ｕのテーパ付（例えば、円錐台状）内側面２４Ｉと接触結合して、カップ１２と蓋１４との間に環状の液体流れバリヤを確立するように、構成されている。図４に示すように、第１のシールリング８１にはテーパが付けられていて、急勾配の円錐台形状を有する。
【００３７】
第２のシールリング８２は、第１の縁セグメント２０Ｉの第１の凸状湾曲外側面２０ＩＥ上の環状の内側シーリング部分に係合して、カップ１２と蓋１４との間に第２の環状の液体流れバリヤを確立するように、配置されている。図４に示すように、第２のシールリング８２はテーパが付けられて、例えば、第１のシールリング８１の円錐台形状とは異なりかつ勾配が緩やかな円錐台形状を有する。
【００３８】
第３のシールリング８３は、第２の縁セグメント２０ＩＩの第２の凸状湾曲外側面２０ＩＩＥ上の環状の中間シーリング部分に係合し、第３の環状の液体流れバリヤを確立するように、配置されている。図４に示すように、第３のシールリング８３にはテーパが付けられて、例えば、第１および第２のシールリングの円錐台形状とは異なりかつ勾配が緩やかな円錐台形状を有する。
【００３９】
第４のシールリング８４は、第３の縁セグメント２０ＩＩＩの第３の凸状湾曲外側面２０ＩＩＩＥ上の環状の外側シーリング部分に係合し、第４の環状の液体流れバリヤを確立するように、配置されている。図４に示すように、第４のシールリング８４にはテーパが付けられて、例えば、シールリング８１〜８４の間の位置にある曲率中心の周りで湾曲する。
【００４０】
図５に示すように、第２のシールリング８２は、カップ縁２０の内側部分に接触結合する。例えば、図５に示すように、蓋１４がカップ１２の縁２０に取り付けられて、カップ１２に形成された内部液溜室２５への開口部２１を閉鎖するとき、第３および第４のシールリング８３、８４は、カップ縁２０の外側部分に接触結合する一方、第１のシールリング８１は、側壁２４の上部２４Ｕでテーパ付内側面２４Ｉと接触結合する。
【００４１】
別の観点から見ると、図１Ａ、図４、および図５に示すように、蓋１４の内部シールリング８１、８２は協働して、カップシェル２３の内側部分２３Ｉで２つの環状の液体流れバリヤを形成する。図５に示すように、蓋１４の第１のシールリング８１は、縁２０とカップ１２の側壁２４との間の接合部（Ｊ）のすぐ下のカップシェル２３の内側部分２３Ｉ上の、カップ底面２２から第１の距離のところに設けられた、半径方向内側に面している第１の環状シール面に係合するように配置されている。図４に示すように、蓋１４の第２のシールリング８２は、第１のシールリング８１の上方に位置する。図４および図５に示すように、第２のシールリング８２は、第１のシールリング８１の上方および縁２０の最上部分の下方の位置において、シェル２３の内側部分２３Ｉ上の、カップ底面２２から比較的長い第２の距離のところにおいて第１の縁セグメント２０Ｉに設けられた、比較的高い半径方向内側に面している第２の環状シール面と係合するように配置されている。
【００４２】
同じ観点から見ると、図１Ａ、図４、および図５に示すように、蓋１４の２つの外部シールリング８３、８４は協働して、カップシェル２３の外側部分２３Ｅ上に２つの環状の液体流れバリヤを形成する。蓋１４の第３のシールリング８３は、カップ縁２０の上縁セグメント２０ＩＩに設けられた、半径方向外側に面している第３の環状シール面に係合するように配置される。蓋１４の第４のシールリング８４は、カップ縁２０の下縁セグメント２０ＩＩＩに設けられた、半径方向外側に面している第４の環状シール面に係合するように配置されて、カップ縁２０の第３の環状シール面の下に置かれる。
【００４３】
蓋１４の縁マウント１８は、相手方のカップ１２の縁２０に取り付けられて、本開示の第１の実施形態による液体容器１０を形成し、図５に示すように、蓋１４の縁マウント１８に含まれる４つのシールリング８１、８２、８３、８４のそれぞれと、カップ１２の縁２０の相手方のリング状部分との間に、環状の接触点（Ｃ１、Ｃ２、Ｃ３、Ｃ４）を示す。図６Ａ〜６Ｂに、蓋１４の縁マウント１８を形成するために使用された工具１８Ｔを示す（全ての寸法は、インチで示す）。
【００４４】
例えば、図１に示すように、液体容器１０は、縁２０と、底面２２と、縁２０から底面２２の方へ延在する側壁２４とを含むカップ１２を含む。側壁２４は、カップ１２の内部液溜室２５を形成するように底面２２と協働する円錐台状内側面２４Ｉを含む。図１および図１Ａに示すように、縁２０は、側壁２４の円錐台状内側面２４Ｉの最上部分２４Ｕと繋がりかつ最上部分２４Ｕから離れるように延在する、湾曲した外側境界面２０Ｂを含む。
【００４５】
図１Ａに示すように、縁２０の湾曲した外側境界面２０Ｂは、縦断面において、略円形路に沿って延在する、少なくとも１８０°の角度θにわたって丸みを帯びた形状を有する。図１Ａに示すように、縁２０の湾曲した外側境界面２０Ｂは、側壁２４の円錐台状内側面２４Ｉに隣接する環状の内側シーリング部分２０ＩＥと、内側シーリング部分２０ＩＥから離れた環状の外側シーリング部分２０ＩＩＩＥと、環状の内側シーリング部分２０ＩＥと環状の外側シーリング部分２０ＩＩＩＥとの間に置かれた環状の中間シーリング部分２０ＩＩＥとを有する。
【００４６】
図１に示すように、液体容器１０はまた、中心閉鎖部１６を含む蓋１４を含む。縁マウント１８は、縁２０の湾曲した外側境界面２０Ｂ上に取り付けられて、中心閉鎖部１６を、カップ１２に形成された内部液溜室２５に開口する口２１を閉鎖する位置に保持するように、構成される。縁マウント１８は、側壁２４の円錐台状内側面２４Ｉの最上部分２４Ｕと係合して、蓋１４とカップ１２との間に第１の環状の液体流れバリヤを確立するように配置された第１のシールリング８１と、縁２０の湾曲した外側境界面２０Ｂの環状の内側シーリング部分２０ＩＥに係合して、蓋１４とカップ１２との間に第２の環状の液体流れバリヤを確立するように配置された第２のシールリング８２と、縁２０の湾曲した外側境界面２０Ｂの環状の中間シーリング部分２０ＩＩＥに係合して、蓋１４とカップ１２との間に第３の環状の液体流れバリヤを確立するように配置された第３のシールリング８３と、縁２０の湾曲した外側境界面２０Ｂの環状の外側シーリング部分２０ＩＩＩＥに係合して、蓋１４とカップ１２との間に第４の環状の液体流れバリヤを確立するように配置された第４のシールリング８４とを含む。
【００４７】
図４および図５に示すように、各シールリング８１〜８４は、カップ１２の相手方の面と接触結合する傾斜内側面を画定するように、テーパが付けられて、蓋１４がカップ１２に取り付けられると、蓋１４とカップ１２との間に第１、第２、第３、および第４の環状の液体流れバリヤのうちの１つを確立する。例えば、図４に示す縁マウント１８の選択した横断面プロファイルでは、第１、第２、および第４のシールリングのそれぞれの傾斜内側面は、全体的に正の勾配を有し、および第３のシールリング８３の傾斜内側面は、全体的に負の勾配を有する。
【００４８】
図４に示すように、第２のシールリング８２の勾配は、第４のシールリング８４の勾配よりも急であり、および第１のシールリング８１の勾配は、第２および第４のシールリング８２、８４のそれぞれの勾配よりも急である。第１、第２、および第３のシールリング８１〜８３のそれぞれは円錐台形状を有し、および第４のシールリングは湾曲形状を有する。
【００４９】
図４に示すように、第４のシールリング８４は凹形状を有し、および第４のシールリング８４の全体的に負の勾配は、第４のシールリング８４の接平面（Ｐ）によって確立されている。図４に示すように、第４のシールリング８４は、第１、第２、および第３のシールリング８１〜８３のそれぞれの方に面するように配置されている。第１のシールリング８１は、第４のシールリング８４の方に面し、かつ第２および第３のシールリング８２、８３から離れる方に面するように配置されている。第２のシールリング８２は、第３および第４のシールリング８３、８４の方に面し、かつ第１のシールリング８１から離れる方に面するように配置されている。第３のシールリング８３は、第１および第２のシールリング８１、８２の方に面し、かつ第４のシールリング８４から離れる方に面するように配置されている。
【００５０】
図４に示すように、第１、第２、および第３のシールリング８１〜８３の各々は、円錐台形状を有する。第４のシールリング８４は湾曲形状を有し、カップ１２の縁２０の湾曲した外側境界面２０Ｂの環状の外側シーリング部分２０ＩＩＩＥと接触係合する凹面を提供する。蓋１４は、弾性プラスチック材料製である。図４に示すように、第１、第２、第３、および第４のシールリング８１〜８４のそれぞれは、蓋１４およびカップ１２の縁マウント１８の接触係合の前駆状態としての非撓み形状を有する。図５および図６Ｃに示すように、蓋１４の縁マウント１８がカップ１２と係合して、カップ１２上で取り付け位置を取ると、第１、第２、第３、および第４のシールリング８１〜８４のそれぞれは、異なる撓み形状を有する。第１、第２、第３、および第４のシールリング８１〜８４のそれぞれの非撓み形状と撓み形状との間の約０．０１０インチの変化が、蓋１４がカップ１２に取り付けられるときの蓋１４の縁マウント１８とカップ１２の縁２０との間に確立した締まり嵌めを画定する。縁マウント１８の選択した横断面プロファイルにおいて、第１、第２、および第４のシールリング８１、８２、８４のそれぞれの傾斜内側面は、全体的に正の勾配を有し、および第３のシールリング８３の傾斜内側面は、全体的に負の勾配を有する。
【００５１】
本開示に従って確立されかつ蓋１４の縁マウント１８に供された飲料カップの蓋のシールの幾何学的形状は、蓋１４がカップ１２に取り付けられるときのカップの縁２０と縁マウント１８との接触係合を促し、蓋をしたカップが、よく知られているＭｏｎｔｒｅａｌ漏れ試験などの漏れ試験に合格できるようにする。飲料カップの使用者は、液体、特に温かい液体で満たされた、蓋をしたカップが、シールで漏れたら、異議を唱える。これは、特に、蓋の一口用注ぎ口が、カップの側壁の縦シームと位置合わせされているときには、消費者にとって苛立たしいことである。
【００５２】
Ｍｏｎｔｒｅａｌ漏れ試験においては、蓋の一口用注ぎ口がカップシームに設定された状態で、カップは、満たされ、かつ水平に対して４５°〜７５°の角度に保持される。カップは、お湯で満たされており、および１０秒の間隔の最中に漏れる滴数を記録する。Ｍｏｎｔｒｅａｌ漏れ試験では、カップを試験表面の上に置くとき、２滴まで落ちることが許容される。
【００５３】
図５に示すように、蓋の幾何学的形状は、本開示によれば、蓋１４の縁マウント１８のシールリング８１〜８４によって画定された４つの線形形状面（すなわち、環状シール面）をもたらすように確立され、シールまたは接触点が、カップ１２の少々変化する丸い縁２０で維持されること保証する。本開示によるそのような蓋の幾何学的形状によって、蓋１４の縁マウント１８が、丸いカップ縁２０の形状に厳密に適合し、カップ毎に異なってもよい、巻かれたまたは付形された縁の幾何学的形状と一貫性のある連続的な接触を行うことができるようにする。それゆえ、漏れ抵抗が重要である飲料カップの適用例において、信頼して蓋１４を使用できる。本明細書で開示した蓋の幾何学的形状は、熱成形された蓋および他の方法で形成された蓋に適用可能である。
【００５４】
蓋１４は、カップ１２と封止接触した状態に維持され、図６Ｃに図式的に示す締まり嵌めを使用して一連の環状の液体流れバリヤを確立する。説明に役立つ実施形態では、環状の接触点Ｃ１、Ｃ２、Ｃ３、およびＣ４において蓋１４の縁マウント１８とカップ１２の縁２０との間に設計した締め代は、約０．０１０インチである。
【００５５】
説明に役立つ実施形態では、蓋１４は、例えば、ポリプロピレン材料を使用して熱成形される、再閉鎖可能な蓋である。縁マウント１８の幾何学的形状は、Ｍｏｎｔｒｅａｌ漏れ試験に合格し、かつ冷たい液体および温かい液体の双方を入れるカップで使用されるように、本開示に従って確立された。本開示による蓋１１４および漏れ抵抗幾何学的形状を備えて作製されたその縁マウント１１８の別の例を、図７〜１４に示し、および本明細書で説明する。
【００５６】
図７に示すように、本開示の第２の実施形態による液体容器１１０は、カップ１２および蓋１１４を含む。図７に示すように、蓋１１４は、液体吐出口１６４を含むように形成された中心閉鎖部１１６と、枢動可能な出口閉鎖部１１７と、中心閉鎖部１１６に結合され、かつカップ１２に形成された内部液溜室２５に開口するカップの口２１を閉鎖するように中心閉鎖部１１６を配置するため、カップ１２の縁２０に取り付けられるように構成された縁マウント１８０とを含む。説明に役立つ実施形態では、蓋１１４は、例えば、熱成形プロセス（または他の好適なプロセス）を使用して、ポリスチレン、ポリプロピレン、またはポリエチレンで作製される。
【００５７】
図７〜９に示すように、中心閉鎖部１１６は、傾斜した上壁１６２を含む飲料注出部１６０を含み、この傾斜した上壁は、液体吐出口１６４を含みかつ閉鎖部リテーナ１６８を含むように形成されている。図７および図８に示すように、傾斜した上壁１６２は、液体吐出口１６４にある高い点から縁マウント１８０の方に向かって下向きの勾配が付けられている。出口閉鎖部１１７は、図７〜９および図１３に示すような液体吐出口１６４を閉鎖する閉鎖位置と、図１４に示すような、液体吐出口１６４を開き、かつ飲料注出部１６０の傾斜した上壁１６２に設けられた閉鎖部リテーナ１６８に嵌り合って出口閉鎖部１１７を開放位置に保持する開放位置との間で、ピボット軸１１７Ａの周りで枢動可能な運動を行うように、中心閉鎖部１１６に取り付けられている。
【００５８】
図７および図８に示すように、カップ１２は、縁２０と、底面２２と、底面２２から縁２０まで上方へ延在する側壁２４とを含む。側壁２４および底面２２は協働して、カップ１２の内部液溜室２５を形成する。縁２０および側壁２４の上部２４Ｕを図１Ａにより詳細に示し、かつ本明細書で説明する。任意の好適なプラスチック、紙、または他の材料からカップ１２を作製することは、本開示の範囲内にある。
【００５９】
説明に役立つ実施形態では、例えば、図１４に示す開放位置に消費者が出口閉鎖部１１７を枢動させた後、蓋１１４がカップ１２の縁２０に取り付けられたままの状態で、消費者は、蓋１１４に形成された開いた液体吐出口１６４を通して、カップ１２に入れられた液体を飲むことができる。説明に役立つ実施形態では、蓋１１４の中心閉鎖部１１６は、液体吐出口１６４を含むように形成された飲料注出部１６０を含む。飲料注出部１６０は、出口閉鎖部１１７が開放位置に動かされたら、カップ１２に入れられた液体を飲もうとする消費者の口に受け入れられるように適合されている。
【００６０】
図７および図９に示すように、中心閉鎖部１１６は、縁マウント１８０よりも上へと上方に立ち上がっている。飲料注出部１６０は、高く隆起した液体吐出口１６４を含むように形成され、かつ図８に示すように、縁マウント１８０の後部半円部分１１８Ｒ内に配置されている。図７に示すように、カップ１２の内部液溜室２５に入れられた液体は全て、直立した飲料注出部１６０の傾斜した上壁１６２に形成された液体吐出口１６４と流体連通している。
【００６１】
例えば、図７および図８に示すように、出口閉鎖部１１７は、環状閉鎖部プレート１７１と、環状閉鎖部プレート１７１の内縁に結合された直立した鼻形状閉鎖部係止爪１７２と、環状閉鎖部プレート１７１の外縁の前向きセグメント、および水平に延びるピボット軸１１７に沿って飲料注出部１６０に結合されたヒンジ１７３とを含む。図７〜９に示すように、環状閉鎖部プレート１７１は、直立した鼻形状閉鎖部係止爪１７２の下縁に結合されたフランジであって、下縁から外側に延在して、出口閉鎖部１１７が閉鎖位置を取るときに、飲料注出部１６０の傾斜した上壁１６２に対して実質的に同一平面上に置かれるように配置されたフランジである。説明に役立つ実施形態では、蓋１１４は、出口閉鎖部１１７を、通常、閉鎖位置に位置決めするように熱成形される。
【００６２】
図７〜９、図１３、および図１４に示すように、閉鎖部リテーナ１６８は、飲料注出部１６０の傾斜した上壁１６２に形成される。例えば、図８に示すように、閉鎖部リテーナ１６８は、４つの側壁１６８Ｓ１、１６８Ｓ２、１６８Ｓ３、および１６８Ｓ４と、側壁１６８Ｓ１、１６８Ｓ２、１６８Ｓ３、および１６８Ｓ４の下縁に繋がるように配置された底面１６８Ｆとで囲まれた上向きの爪収容キャビティ１６８Ｃを含むように形成されている。図１４に示すように、閉鎖部リテーナ１６８の側壁１６８Ｓ１、１６８Ｓ２、１６８Ｓ３、および１６８Ｓ４の１つ以上は協働して、出口閉鎖部１１７の鼻形状閉鎖部係止爪１７２の先端を爪収容キャビティ１６８Ｃに保持するための戻り止め手段を提供するように構成されている。任意の好適な形状を備える閉鎖部係止爪１７２を提供することは、本開示の範囲内にある。
【００６３】
図７に示すように、液体容器１１０は、カップ１２の縁２０と接触結合するように適合された蓋１１４を含む。カップ１２はまた、底面２２と、底面２２に繋がりかつ縁２０から底面２２の方へ延在する側壁２４とを含む。カップ１２は、シェル２３と、シェル２３に結合された底面２２とを含み、内部液溜室２５を形成する。シェル２３は、縁２０および側壁２４を含む。シェル２３は、本明細書で説明および開示するように内側部分２３Ｉおよび外側部分２３Ｏを含む。
【００６４】
例えば、図７および図８に示すように、蓋１１４は、液体吐出口１６４を含むように形成された中心閉鎖部１１６と、中心閉鎖部１１６を取り囲むように配置されたリング状の縁マウント１８０とを含む。蓋１１４の縁マウント１８０は、カップ１２の縁２０と接触結合して、中心閉鎖部１１６を静止位置に保持し、カップ１２の内部液溜室２５に開口するカップの口２１を閉鎖すると共に、液体吐出口１６４を、カップ１２の内部液溜室２５に入れられた任意の液体と流体連通させるように構成されている。
【００６５】
例えば、図１０に示すように、蓋１１４の縁マウント１８０は、４つのシールリング１８１、１８２、１８３、および１８４を含む。図１０に図式的におよび図１１に説明的に示すように、第１のシールリング８１は、側壁２４の上部２４Ｕの円錐台状内側面２４Ｉと接触結合して、カップ１２と蓋１４との間に環状の液体流れバリヤを確立するように構成されている。図１０に示すように、第１のシールリング１８１は急勾配の円錐台形状を有する。図１１に示すように、残りのシールリング１８２〜１８４のそれぞれは、カップ１１２の縁１２０と接触結合して、それらの間に環状の液体流れバリヤを確立するように構成されている。
【００６６】
第２のシールリング８２は、第１の縁セグメント２０Ｉの第１の凸状湾曲外側面２０ＩＥ上の環状の内側シーリング部分と係合して、カップ１２と蓋１４との間に第２の環状の液体流れバリヤを確立するように配置されている。図１０に示すように、第２のシールリング１８２は、第１のシールリング１８１の円錐台形状とは異なりかつ勾配が緩やかな円錐台形状を有する。
【００６７】
第３のシールリング８３は、第２の縁セグメント２０ＩＩの第２の凸状湾曲外側面２０ＩＩＥ上の環状の中間シーリング部分と係合し、第３の環状の液体流れバリヤを確立するように配置されている。図１０に示すように、第３のシールリング１８３は、第１および第２のシールリング１８１、１８２の円錐台形状とは異なりかつ勾配が緩やかな円錐台形状を有する。
【００６８】
第４のシールリング８４は、第３の縁セグメント２０ＩＩＩの第３の凸状湾曲外側面２０ＩＩＩＥ上の環状の外側シーリング部分に係合し、第４の環状の液体流れバリヤを確立するように配置されている。図１０に示すように、第４のシールリング１８４は、シールリング１８１〜１８４の間の位置にある曲率中心の周りで湾曲している。
【００６９】
図１１に示すように、第２のシールリング１８２は、カップ縁２０の内側部分に接触結合する。例えば、図１１に示すように、蓋１１４がカップ１２の縁２０に取り付けられて、カップ１２に形成された内部領域２５への開口部２１を閉鎖するとき、第３および第４のシールリング１８３、１８４は、カップ縁２０の外側部分と接触結合する。
【００７０】
別の観点から見ると、図１Ａ、図１０、および図１１に示すように、蓋１４の内部シールリング１８１、１８２は協働して、カップシェル２３の内側部分２３Ｉ上に２つの環状の液体流れバリヤを形成する。図１１に示すように、蓋１１４の第１のシールリング１８１は、カップ１２の縁２０と側壁２４との間の接合部（Ｊ）の実質的にすぐ下のシェル２３の内側部分２３Ｉ上の、カップ底面２２から第１の距離のところに設けられた、半径方向内側に面している第１の環状シール面と係合するように配置されている。図１０に示すように、蓋１１４の第２のシールリング１８２は、第１のシールリング１８１の上方に位置している。図１０および図１１に示すように、第２のシールリング１８２は、第１のシールリング１８１の上方および縁２０の最上部分の下方の位置において、シェル２３の内側部分２３Ｉ上の、カップ底面２２から比較的長い第２の距離のところにおいて第１の縁セグメント２０Ｉに設けられた、比較的高い半径方向内側に面している第２の環状シール面と係合するように配置されている。
【００７１】
図１Ａ、図１０、および図１１に示すように、蓋１１４の２つの外部シールリング１８３、１８４は協働して、カップシェル２３の外側部分２３Ｅに２つの環状の液体流れバリヤを形成する。蓋１１４の第３のシールリング１８３は、カップ縁２０の上縁セグメント２０ＩＩに設けられた半径方向外側に面している第３の環状シール面に係合するように配置されている。蓋１１４の第４のシールリング１８４は、カップ縁２０の下縁セグメント２０ＩＩＩに設けられた半径方向外側に面している第４の環状シール面に係合して、カップ縁２０の第３の環状シール面の下方に置かれるように配置されている。
【００７２】
図１１に示すように、本開示の第２の実施形態に従って、縁マウント１８０は、相手方のカップ１２に取り付けられて液体容器１１０を形成し、蓋１１４の縁マウント１８０に含まれる４つのシールリング１８１、１８２、１８３、１８４の各々と、カップ１２の縁２０の相手方のリング状部分との間に環状の接触点（Ｃ１、Ｃ２、Ｃ３、Ｃ４）を示している。図９〜１１に、蓋１１４の縁マウント１８０を形成するために使用された工具を示す（全寸法は、インチで示す）。キャビティ内側セクション１８０Ｉが、縁マウント１８０の内側部分のプラグ嵌合の幾何学的形状を形成する。図１３および図１４に示すように、キャビティ外側セクション１８０Ｅが、縁マウント１８０の外側部分のシールおよびスナップの幾何学的形状を形成する。
【００７３】
以下、番号をつけた項目は、考慮されるかつ非限定的な実施形態を含む。
【００７４】
項目１．カップと蓋を含む液体容器であって、
前記カップは、
縁と、底面と、前記縁から前記底面の方へ延在する側壁とを含み、
前記側壁は、前記底面と協働して前記カップの内部液溜室を形成する円錐台状内側面を含み、
前記縁は、前記側壁の前記円錐台状内側面の最上部分と繋がりかつ前記最上部分から離れるように延在する湾曲した外側境界面を含み、前記縁の前記湾曲した外側境界面は、縦断面において、略円形路に沿って延在する少なくとも１８０°の角度にわたって丸みを帯びた形状を有し、前記縁の前記湾曲した外側境界面は、前記側壁の前記円錐台状内側面に隣接する環状の内側シーリング部分と、前記内側シーリング部分から離れる環状の外側シーリング部分と、前記環状の内側シーリング部分と前記環状の外側シーリング部分との間に置かれた環状の中間シーティング部分とを有し、
前記蓋は、
中心閉鎖部と、前記中心閉鎖部に結合され、かつ前記縁の前記湾曲した外側境界面に取り付けられて、前記カップに形成された前記内部液溜室に開口する口を閉鎖する位置に前記中心閉鎖部を保持するように構成された縁マウントとを含み、
前記縁マウントは、前記側壁の前記円錐台状内側面の前記最上部分に係合して、前記蓋と前記カップとの間に第１の環状の液体流れバリヤを確立するように配置された第１のシールリングと、前記縁の前記湾曲した外側境界面の前記環状の内側シーリング部分に係合して、前記蓋と前記カップとの間に第２の環状の液体流れバリヤを確立するように配置された第２のシールリングと、前記縁の前記湾曲した外側境界面の前記環状の中間シーリング部分に係合して、前記蓋と前記カップとの間に第３の環状の液体流れバリヤを確立するように配置された第３のシールリングと、前記縁の前記湾曲した外側境界面の前記環状の外側シーリング部分に係合して、前記蓋と前記カップとの間に第４の環状の液体流れバリヤを確立するように配置された第４のシールリングとを含む、
液体容器。
【００７５】
項目２．各シールリングにはテーパが付けられて、カップの相手方の面と接触結合する傾斜内側面を画定して、蓋がカップに取り付けられると、蓋とカップとの間に第１、第２、第３、および第４の環状の液体流れバリヤのうちの１つを確立する、前項のいずれかに記載の液体容器。
【００７６】
項目３．縁マウントの選択した横断面プロファイルにおいて、第１、第２、および第４のシールリングのそれぞれの傾斜内側面が全体的に正の勾配を有し、および第３のシールリングの傾斜内側面が全体的に負の勾配を有する、前項のいずれかに記載の液体容器。
【００７７】
項目４．第２のシールリングの勾配が、第４のシールリングの勾配よりも急であり、および第１のシールリングの勾配が、第２および第４のシールリングのそれぞれの勾配よりも急である、前項のいずれかに記載の液体容器。
【００７８】
項目５．第１、第２、および第３のシールリングのそれぞれが円錐台形状を有し、および第４のシールリングが湾曲形状を有する、前項のいずれかに記載の液体容器。
【００７９】
項目６．第４のシールリングが凹形状を有し、および第４のシールリングの全体的に負の勾配が、第４のシールリングの接平面によって確立されている、前項のいずれかに記載の液体容器。
【００８０】
項目７．第４のシールリングは、第１、第２、および第３のシールリングのそれぞれの方に面するように配置され、第１のシールリングが、第４のシールリングの方に面しかつ第２および第３のシールリングから離れる方に面するように配置され、第２のシールリングが、第３および第４のシールリングの方に面しかつ第１のシールリングから離れる方に面するように配置され、および第３のシールリングが、第１および第２のシールリングの方に面しかつ第４のシールリングから離れる方に面するように配置されている、前項のいずれかに記載の液体容器。
【００８１】
項目８．第１、第２、および第３のシールリングのそれぞれが円錐台形状を有し、および第４のシールリングは湾曲形状を有して、カップの縁の湾曲した外側表面の環状の外側シーリング部分と接触係合する凹面を提供する、前項のいずれかに記載の液体容器。
【００８２】
項目９．蓋が弾性プラスチック材料製であり、第１、第２、第３および第４のシールリングのそれぞれが、蓋の縁マウントとカップとの接触係合の前駆状態として非撓み形状を有し、および第１、第２、第３および第４のシールリングのそれぞれが、蓋の縁マウントがカップと係合して、カップの取り付け位置を取ると、異なる撓み形状を有し、および蓋がカップに取り付けられると、第１、第２、第３および第４のシールリングのそれぞれの非撓み形状と撓み形状との間の約０．０１０インチの変化が、蓋の縁マウントとカップの縁との間に確立された締まり嵌めを画定する、前項のいずれかに記載の液体容器。
【００８３】
項目１０．縁マウントの選択した横断面プロファイルにおいて、第１、第２、および第４のシールリングのそれぞれの傾斜内側面が全体的に正の勾配を有し、および第３のシールリングの傾斜内側面が全体的に負の勾配を有する、前項のいずれかに記載の液体容器。
【００８４】
項目１１．第４のシールリングが、第１、第２、および第３のシールリングのそれぞれの方に面するように配置され、第１のシールリングが、第４のシールリングの方に面しかつ第２および第３のシールリングから離れる方に面するように配置され、第２のシールリングが、第３および第４のシールリングの方に面しかつ第１のシールリングから離れる方に面するように配置され、および第３のシールリングが、第１および第２のシールリングの方に面しかつ第４のシールリングから離れる方に面するように配置されている、前項のいずれかに記載の液体容器。
【００８５】
項目１２．第１、第２、および第３のシールリングのそれぞれが円錐台形状を有し、および第４のシールリングは湾曲形状を有して、カップの縁の湾曲した外側表面の環状の外側シーリング部分と接触係合する凹面を提供する、前項のいずれかに記載の液体容器。
【００８６】
項目１３．カップの縁が、順番に、側壁の最上部分に結合された第１の縁セグメントと、第１の縁セグメントに結合された第２の縁セグメントと、第２の縁セグメントに結合された第３の縁セグメントとを含み、第３の縁セグメントは、側壁の最上部分を取り囲み、かつ側壁の最上部分の外側表面に対して離間して置かれ、第２の縁セグメントは、第１の縁セグメントと第３の縁セグメントとを相互に接続し、湾曲した外側境界面は、順番に、第１の縁セグメントの第１の凸状湾曲外側面と、第２の縁セグメントの第２の凸状湾曲外側面と、第３の縁セグメントの第３の凸状湾曲外側面とによって画定され、環状の内側シール面は第１の凸状湾曲面に設けられ、環状の中間シール面は第２の凸状湾曲面に設けられ、および環状の外側シール面は第３の凸状湾曲面に設けられる、前項のいずれかに記載の液体容器。
【００８７】
項目１４．縁は、さらに、第３の縁セグメントの自由端部に結合され、かつ側壁の最上部分の外側表面に対して離間して置かれるように配置された環状の遠位端を含むように形成された第４の縁セグメントを含む、前項のいずれかに記載の液体容器。
【００８８】
項目１５．第１、第２、および第３の凸状湾曲外側面が共通の曲率中心を有する、前項のいずれかに記載の液体容器。
【図１】
2016512188.tif 000003
【図１Ａ】
2016512188.tif 000004
【図２】
2016512188.tif 000005
【図３】
2016512188.tif 000006
【図４】
2016512188.tif 000007
【図６Ａ】
2016512188.tif 000008
【図６Ｂ】
2016512188.tif 000009
【図６Ｃ】
2016512188.tif 000010
【図７】
2016512188.tif 000011
【図８】
2016512188.tif 000012
【図９】
2016512188.tif 000013
【図１０】
2016512188.tif 000014
【図１２】
2016512188.tif 000015
【図１３】
2016512188.tif 000016
【図１４】
2016512188.tif 000017
【図５】
2016512188.tif 000018
【図１１】
2016512188.tif 000019
【国際調査報告】
2016512188.tif 000020